(57)【特許請求の範囲】
【請求項１】
車体と、この車体の前側に取り付けられた作業装置とを有する作業機械に設けられ、物品が収納される本体を形成するボックスと、このボックスの上部に形成された開口部を被覆可能な蓋部とを有する収納箱と、この収納箱を上記車体に固定する固定手段とを含む作業機械の収納箱装置において、
上記物品は、長尺の物品と、この長尺の物品とは異なる他の物品とを含み、
上記収納箱の上記ボックス内に、上記長尺の物品を収納可能な第１収納領域と、上記他の物品を収納可能な第２収納領域とを仕切る仕切り板を設け、
上記収納箱の上記ボックスは、上記第１収納領域に連通するように、上記作業装置側に位置する前面、この前面の後方に位置する後面、上記前面と上記後面を接続する側面、及び下面のいずれかに形成され、上記第１収納領域に収納された上記長尺の物品の一部の当該ボックスの外部への突出を許容させる別の開口部と、上記別の開口部を開閉可能な開閉扉とを有することを特徴とする作業機械の収納箱装置。
【請求項２】
請求項１に記載の作業機械の収納箱装置において、
上記第１収納領域は、上記別の開口部を挿通して上記収納箱の上記ボックスの外側に突出する下板を含むことを特徴とする作業機械の収納箱装置。
【請求項３】
請求項１または２に記載の作業機械の収納箱装置において、
当該作業機械は、走行体と、この走行体上に配置されて上記作業装置が取り付けられ、上記走行体とともに上記車体を形成する旋回体とを有するものから成り、
上記収納箱を上記旋回体に設けたことを特徴とする作業機械の収納箱装置。
【請求項４】
請求項３に記載の作業機械の収納箱装置において、
上記作業装置は、上記旋回体に上下方向の回動可能に取り付けられるブームと、このブームを駆動するブームシリンダとを含み、
上記別の開口部を上記収納箱の上記ボックスの後面に形成し、
上記旋回体に固定され上記ブームシリンダが取り付けられるブラケットの近傍位置に、上記ボックスの上記後面が位置するように、上記収納箱を配置したことを特徴とする作業機械の収納箱装置。
【請求項５】
請求項４に記載の作業機械の収納箱装置において、
上記作業装置は、上記ブームの先端に取り付けられるアームと、このアームの先端に取り付けられるバケットとを含み、
上記バケットは、掘削作業時に活用され当該バケット本体に対して着脱可能な爪を有し、
上記長尺の物品が、上記バケットの上記爪から成ることを特徴とする作業機械の収納箱装置。
【発明の詳細な説明】
【技術分野】
【０００１】
本発明は、油圧ショベルに備えられるバケットの爪等の長尺な物品の収納を可能にする作業機械の収納箱装置に関する。
【背景技術】
【０００２】
この種の従来技術として、特許文献１に建設機械の工具箱装置が提案されている。この従来技術は、建設機械に備えられる走行体を形成する走行フレームに、工具箱を固定したものである。この工具箱は、工具すなわち物品が収納される本体を形成するボックスと、このボックスの上部に形成された開口部を被覆可能な蓋部とを有している。
【先行技術文献】
【特許文献】
【０００３】
【特許文献１】特開平８−６０７００号公報
【発明の概要】
【発明が解決しようとする課題】
【０００４】
ところで特許文献１に示される建設機械、すなわち作業機械にあっては、工具箱すなわち収納箱に収納する物品として種々の物が考えられる。通常使用される工具はもちろんのこと、当該作業機械が油圧ショベルである場合には、バケット本体から外された爪等が収納されることもある。バケットには一般に４，５本の爪が備えられている。バケットの爪等は全体的に見て比較的長い形状をしており、長尺の物品を構成している。したがって、収納箱のボックスにバケットの複数本の爪を収納すると、これらの爪による占有領域が大きくなってしまい、他の工具等の物品を同時に収納することが難しくなる。
【０００５】
このように従来技術にあっては、収納箱の収納容量に制約を受け、収納箱に長尺の物品と、この長尺の物品とは異なる他の物品とを同時に効率良く収納することが困難になることがあった。このことは、当該作業機械がミニショベル等のように小型で、全体の形状寸法に制限を受ける機械においては、より顕著であった。
【０００６】
本発明は、上述した従来技術における実状からなされたもので、その目的は、収納箱への長尺の物品の収納に際し、収納箱の収納容量を大きくすることができる作業機械の収納箱装置を提供することにある。
【課題を解決するための手段】
【０００７】
この目的を達成するために、本発明は、車体と、この車体の前側に取り付けられた作業装置とを有する作業機械に設けられ、物品が収納される本体を形成するボックスと、このボックスの上部に形成された開口部を被覆可能な蓋部とを有する収納箱と、この収納箱を上記車体に固定する固定手段とを含む作業機械の収納箱装置において、上記物品は、長尺の物品と、この長尺の物品とは異なる他の物品とを含み、上記収納箱の上記ボックス内に、上記長尺の物品を収納可能な第１収納領域と、上記他の物品を収納可能な第２収納領域とを仕切る仕切り板を設け、上記収納箱の上記ボックスは、上記第１収納領域に連通するように、上記作業装置側に位置する前面、この前面の後方に位置する後面、上記前面と上記後面を接続する側面、及び下面のいずれかに形成され、上記第１収納領域に収納された上記長尺の物品の一部の当該ボックスの外部への突出を許容させる別の開口部と、上記別の開口部を開閉可能な開閉扉とを有することを特徴としている。
【０００８】
このように構成した本発明は、仕切り板で仕切られた収納箱のボックスの第１収納領域に長尺の物品を収納し、第２収納領域に長尺の物品とは異なる他の物品を収納しようとするときには、ボックスの別の開口部を閉じていた開閉扉を開き、長尺の物品の一部を別の開口部からボックスの外部へ突出させるようにして、長尺の物品の残りの部分を第１収納領域に収納することができる。すなわち本発明は、収納箱への長尺の物品の収納に際し、収納箱の収納可能容量を大きくすることができる。また本発明は、開閉扉を自重によって閉じる方向に回動可能に設ければ、長尺の物品を別の開口部から突出させた際に、開閉扉の下端で長尺の物品を押えることができる。
【０００９】
また本発明は、上記発明において、上記第１収納領域は、上記別の開口部を挿通して上記収納箱の上記ボックスの外側に突出する下板を含むことを特徴としている。このように構成した本発明は、別の開口部から突出した長尺の物品の一部を下板上に安定して載置させることができる。
【００１０】
また本発明は、上記発明において、当該作業機械は、走行体と、この走行体上に配置されて上記作業装置が取り付けられ、上記走行体とともに上記車体を形成する旋回体とを有するものから成り、上記収納箱を上記旋回体に設けたことを特徴としている。このように構成した本発明は、走行体に比べて収納箱を配置するスペースを確保しやすい旋回体上に収納箱を設けることから、実用性に富む。
【００１１】
また本発明は、上記発明において、上記作業装置は、上記旋回体に上下方向の回動可能に取り付けられるブームと、このブームを駆動するブームシリンダとを含み、上記別の開口部を上記収納箱の上記ボックスの後面に形成し、上記旋回体に固定され上記ブームシリンダが取り付けられるブラケットの近傍位置に、上記ボックスの上記後面が位置するように、上記収納箱を配置したことを特徴としている。このように構成した本発明は、旋回体に固定されブームシリンダが取り付けられるブラケットの近傍位置に存在し、それまでデッドスペースであって活用されていなかった空間部に、ボックスの後面に形成した別の開口部から第１収納領域に収納した長尺の物品の一部を突出させることができる。すなわち、本発明は、ブームシリンダに取り付けられるブラケットの近傍位置のデッドスペースを、長尺の物品の収納に活用させることができる。
【００１２】
また本発明は、上記発明において、上記作業装置は、上記ブームの先端に取り付けられるアームと、このアームの先端に取り付けられるバケットとを含み、上記バケットは、掘削作業時に活用され当該バケット本体に対して着脱可能な爪を有し、上記長尺の物品が、上記バケットの上記爪から成ることを特徴としている。このように構成した本発明は、複数の爪を収納箱に収納する際には、例えばこれらの爪を第１収納領域に整列させて配置し、これらの爪の先端を別の開口部からボックスの外部に突出させるようにして、これらの爪を安定して収納させることができる。
【発明の効果】
【００１３】
本発明は、長尺の物品を収納箱に収納する際には、ボックスの別の開口部の開閉扉を開き、長尺の物品の一部をボックスの外部へ突出させるようにして、該当する長尺の物品を第１収納領域に収納することができ、収納箱の収納容量を大きくすることができる。したがって、第１収納領域に該当する長尺の物品を収納し、第２収納領域に長尺の物品とは異なる他の物品を収納することにより、長尺の物品と、この長尺の物品とは異なる他の物品とを、同時に従来よりも効率良く収納することができる。また本発明は、開閉扉を自重によって閉じる方向に回動可能に設ければ、長尺の物品を別の開口部から突出させた際に、開閉扉の下端で長尺の物品を押えることができ、収納箱に収納された長尺の物品の安定保持を実現させることができる。
【図面の簡単な説明】
【００１４】
【図１】本発明に係る収納箱装置の第１実施形態が備えられる作業機械の一例として挙げたミニショベルを示す側面図である。
【図２】図１に示すミニショベルの旋回体部分を示す正面図である。
【図３】図２のＡ断面図である。
【図４】図２に示す状態から収納箱を除いた状態を示す正面図である。
【図５】図２のＢ断面拡大図である。
【図６】図２のＣ方向から見た拡大平面図である。
【図７】第１実施形態の全体構成を示す正面図である。
【図８】図７に示す第１実施形態の全体構成の底面図である。
【図９】第１実施形態に備えられる収納箱の側面図である。
【図１０】第１実施形態に備えられる収納箱の正面図である。
【図１１】図１に示すミニショベルで実施される土砂の掘削作業に活用される爪を備えたバケットを含む作業装置を示す斜視図である。
【図１２】図１に示すミニショベルで実施される土砂のならし作業に活用される平爪を備えたバケットを含む作業装置を示す斜視図である。
【図１３】第１実施形態に備えられる収納箱にバケットの爪が望ましくない配置形態で収納された状態を示す斜視図である。
【図１４】第１実施形態に備えられる収納箱にバケットの爪を望ましい配置形態で収納した状態を示す斜視図である。
【図１５】第１実施形態に備えられる収納箱にグリスガンを収納した状態を示す図で、（ａ）図は正面側から見た斜視図、（ｂ）図は背面側から見た斜視図である。
【図１６】本発明の第２実施形態に備えられる収納箱を示す側面図である。
【図１７】図１６のＤ断面図である。
【発明を実施するための形態】
【００１５】
以下、本発明に係る作業機械の収納箱装置の実施の形態を図に基づいて説明する。
【００１６】
図１は本発明に係る収納箱装置の第１実施形態が備えられる作業機械の一例として挙げたミニショベルを示す側面図、図２は図１に示すミニショベルの旋回体部分を示す正面図、図３は図２のＡ断面図である。
【００１７】
本発明に係る収納箱装置の第１実施形態が備えられる作業機械は、例えばミニショベルから成っている。このミニショベルは、図１に示すように、走行体１と、この走行体１上に配置される旋回体２とを備えている。これらの走行体１と旋回体２とによって車体が構成されている。旋回体２の前側位置には、掘削作業等を行う作業装置４が上下方向の回動可能に取り付けられている。この作業装置４は、旋回体２に取り付けられるブーム５と、このブーム５の先端に取り付けられるアーム６と、このアーム６の先端に取り付けられるバケット７とを含んでいる。また作業装置４は、ブーム５を回動させるブームシリンダ５ａと、アーム６を回動させるアームシリンダ６ａと、バケット７を回動させるバケットシリンダ７ａとを含んでいる。
【００１８】
旋回体２上には、例えば運転室３が配置され、図２に示すように、車体の中央付近の運転室３の側方部分に、ブーム５が回動可能に取り付けられるブラケット８と、このブラケット８の下方に位置し、ブームシリンダ５ａが回動可能に取り付けられるバケット８ａとが設けられている。第１実施形態に係る収納箱装置に備えられる収納箱１０は、図２，３に示すように、旋回体２の前側位置に配置してある。すなわち、収納箱１０の後面がブームシリンダ５ａが取り付けられるブラケット８ａの近傍に位置するように、このブラケット８ａの前側位置に収納箱１０を配置してある。
【００１９】
図４は図２に示す状態から収納箱を除いた状態を示す正面図、図５は図２のＢ断面拡大図、図６は図２のＣ方向から見た拡大平面図、図７は第１実施形態の全体構成を示す正面図、図８は図７に示す第１実施形態の全体構成の底面図である。
【００２０】
図４〜６に示すように、旋回体２の旋回フレーム２ａ上の中央付近の運転室３の側方位置であって、作業装置４に近い前側位置に、例えば２本の固定プレート１１，１２を取り付けてある。固定プレート１１，１２には、それぞれ例えば２つのボルト穴を形成してある。また図７，８に示すように、収納箱１０の下面に例えば４つの側面視がＵ字状の取り付け部１３〜１６を設けてある。これらの取り付け部１３〜１６にもボルト穴を形成してある。
【００２１】
収納箱１０は、同図７，８に示すように、固定プレート１１のボルト穴、及びこのボルト穴に適合させた取り付け部１３のボルト穴のそれぞれに挿通させたボルト１７と、このボルト１７に螺合するナット１８とによって、固定プレート１１に固定してある。同様に収納部１０は、固定プレート１１のボルト穴、及びこのボルト穴に適合させた取り付け部１４のボルト穴のそれぞれに挿通させたボルト１９と、このボルト１９に螺合するナット２０とによって、固定プレート１１に固定してある。また収納箱１０は、固定プレート１２のボルト穴、及びこのボルト穴に適合させた取り付け部１５のボルト穴のそれぞれに挿通させたボルト２１と、このボルト２１に螺合する図示しないナットとによって、固定プレート１２に固定してある。同様に収納部１０は、固定プレート１２のボルト穴、及びこのボルト穴に適合させた取り付け部１６のボルト穴のそれぞれに挿通させたボルト２２と、このボルト２２に螺合する図示しないナットとによって、固定プレート１２に固定してある。
【００２２】
上述した固定プレート１１，１２、収納箱１０の取り付け部１３〜１６、ボルト１７、ナット１８、ボルト１９、ナット２０、ボルト２１、このボルト２１に螺合する図示しないナット、ボルト２２、及びこのボルト２２に螺合する図示しないナットによって、収納箱１０を旋回体２の旋回フレーム２ａに固定する固定手段が構成されている。
【００２３】
図９は第１実施形態に備えられる収納箱の側面図、図１０は第１実施形態に備えられる収納箱の正面図、図１１は図１に示すミニショベルで実施される土砂の掘削作業に活用される爪を備えたバケットを含む作業装置を示す斜視図、図１２は図１に示すミニショベルで実施される土砂のならし作業に活用される平爪を備えたバケットを含む作業装置を示す斜視図、図１３は第１実施形態に備えられる収納箱にバケットの爪が望ましくない配置形態で収納された状態を示す斜視図、図１４は第１実施形態に備えられる収納箱にバケットの爪を望ましい配置形態で収納した状態を示す斜視図、図１５は第１実施形態に備えられる収納箱にグリスガンを収納した状態を示す図で、（ａ）図は正面側から見た斜視図、（ｂ）図は背面側から見た斜視図である。
【００２４】
また、第１実施形態に備えられる収納箱１０は、図９，１０等に示すように、物品が収納される本体を構成するボックス３０と、このボックス３０の上部に形成された開口部３０ａを被覆可能な蓋部３１とを有している。蓋部３１の後側部分はボックス３０の後面３０ｃの上部に固定したヒンジ部３２に取り付けられており、これにより蓋部３１は回動可能になっている。蓋部３１の前側部分には、フック部３１ａを設けてあり、ボックス３０の前側部分には、フック部３１ａが離脱可能に係合する係合部３１ｂを設けてある。
【００２５】
また、第１実施形態に備えられる収納箱１０には、長尺の物品例えば図１１，１４等に示すバケット７の複数の爪７ｂと、これらの爪７ｂとは異なる他の物品とが同時に収納可能となっている。なお、バケット７の本体に、４〜５本程度の爪７ｂが着脱可能となっている。土砂の掘削作業時等にあっては、図１１に示すように、バケット７の本体に爪７ｂが装着されて作業が実施される。これに対し、土砂等を平坦にならす作業であるならし作業時等にあっては、図１２に示すように、複数の爪４０ｂと、これらの爪４０ｂが溶接される平板部４０ａとから成る平爪４０が、バケット７の本体に装着されるようになっている。このような平爪４０も長尺の物品であるが、この平爪４０は、例えば本実施形態が収納対象としている長尺の物品を構成するものではない。本実施形態では、上述のように例えば爪７ｂが長尺の物品を構成している。
【００２６】
第１実施形態に備えられる収納箱１０には、図１４に示すように、ボックス３０内に、長尺の物品すなわちバケット７の爪７ｂを収納する第１収納領域３６ａと、爪７ｂとは異なる他の物品を収納可能な第２収納領域３６ｂとを仕切る仕切り板３６を設けてある。
【００２７】
また、収納箱１０のボックス３０には、第１収納領域３６ａに連通するように、作業装置４側に位置する前面３０ｂ、この前面３０ｂの後方に位置する後面３０ｃ、前面３０ｂと後面３０ｃを接続する側面３０ｄ、及び下面３０ｆのいずれかに、例えば図９に示すように後面３０ｃに形成され、第１収納領域３６ａに収納された長尺の物品、例えば爪７ｂの一部の当該ボックス３０の外部への突出を許容させる別の開口部３３と、この別の開口部３３を開閉可能な開閉扉３４とを備えている。別の開口部３３は例えば、第１収納領域３６ａを形成する長さ寸法と略同等の長さ寸法を有するように設けてある。また、開閉扉３４は、その下端部３４ｂが第１収納領域３６ａ内に入り込むように僅かに折り曲げて形成されている。この開閉扉３４は、ボックス３０の後面３０ｃに設けたヒンジ部３２の下方に設けたヒンジ部３４ａに取り付けられ、回動可能となっている。
【００２８】
また、この第１実施形態の収納箱１０のボックス３０の第１収納領域３６ａは、ボックス３０に形成した別の開口部３３を挿通して当該ボックス３０の外側に突出する下板３５を含んでいる。この下板３５の先端部３５ａは、上方に向かって折り曲げ形成してある。また、上述した開閉扉３４の下端部３４ｂは、開閉扉３４が閉じられた際に、下板３５に当接するように配置されている。
【００２９】
このように構成した第１実施形態は、例えば収納箱１０のボックス３０の第１収納領域３６ａと第２収納領域３６ｂのそれぞれに、長尺の物品すなわちバケット７の爪７ｂとは異なる複数の他の物品を収納しようとするときには、フック部３１ａと係合部３１ｂとの係合を解いて図９に示すように蓋部３１を上方に回動させ、また同図９に示すように、ボックス３０の別の開口部３３を開閉扉３４で閉じた状態で、仕切り板３６で仕切られた第１収納領域３６ａと第２収納領域３６ｂのそれぞれに分配するようにして、該当する爪７ｂとは異なる他の物品を収納することができる。他の物品の収納後には、蓋部３１を下方に回動させ、フック部３１ａと係合部３１ｂとを係合させる。これにより、例えば作業装置４による作業中における蓋部３１の開放を確実に阻止することができ、収納箱１０内の他の部品の安定した保持を実現させることができる。
【００３０】
また例えば、収納箱１０のボックス３０に収納する上述の他の物品が１つのみである場合には、上述のように別の開口部３３を開閉扉３４で閉じた状態で、第１収納領域３６ａか第２収納領域３６ｂのいずれかに、該当する他の物品を収納することができる。
【００３１】
また例えば、長尺の物品すなわちバケット７の複数の爪７ｂと、これらの爪７ｂとは異なる他の物品とを同時に収納箱１０に収納しようとするときには、図１４に示す第２の収納領域３６ｂに、該当する他の物品が収納される。また、ボックス３０の別の開口部３３を閉じていた開閉扉３４を開き、複数の爪７ｂを第１収納領域３６ａに整列させて配置し、これらの爪７ｂの先端を別の開口部３３からボックス３０の外部へ突出させるようにして、爪７ｂの残りの部分を第１収納領域３６ａに収納することができる。このようにして収納箱１０に収納された爪７ｂは、下板３５上に載置され、これらの爪７ｂの先端が例えば下板３５の先端部３５ａに当接する。
【００３２】
なお、図１３に示すように、爪７ｂの先端を別の開口部３３から外部へ突出させず、開閉扉３４を閉じた状態で第１収納領域３６ａや第２収納領域３６ｂに収納した場合には、爪７ｂとは異なる他の物品に対する収納スペースが少なくなり、他の物品を収納できなくなることが起こり得る。
【００３３】
また例えば、爪７ｂのみを収納箱１０に収納しようとするときには、上述のように別の開口部３３を閉じていた開閉扉３４を開き、爪７ｂの先端をボックス３０の外部へ突出させるようにして、爪７ｂの残りの部分を第１収納領域３６ａに収納することができる。
【００３４】
このように第１実施形態に係る収納箱装置は、爪７ｂを収納箱１０に収納する際には、ボックス３０の別の開口部３３の開閉扉３４を開いて爪７ｂの一部、すなわち爪７ｂの先端をボックス３０の外部へ突出させるようにして、第１収納領域３６ａに収納することができ、収納箱１０の収納容量を大きくすることができる。これにより、この第１実施形態は、複数の爪７ｂと、これらの爪７ｂとは異なる他の物品とを、同時に効率良く収納箱１０に収納することができる。
【００３５】
また、第１実施形態によれば、爪７ｂを第１収納領域３６ａに収納して、開閉扉３４を開き、爪７ｂの先端を別の開口部３３からボックス３０の外部へ突出させるようにした際に、自重により開閉扉３４が閉じる方向に動き、この開閉扉３４の下端部３４ｂで爪７ｂのそれぞれを押えることができる。すなわち、開閉扉３４の下端部３４ｂと、爪７ｂの先端が載置される下板３５と、爪７ｂのそれぞれの先端が当接する下板３５の先端部３５ａとの協働により、作業装置４によって行われる作業中にあっても、第１収納領域３６ａに収納された爪７ｂのそれぞれを安定して保持することができる。
【００３６】
また、第１実施形態によれば、走行体１に比べて収納箱１０を配置するスペースを確保しやすい旋回体２上に収納箱１０を設けることから、実用性に富む。
【００３７】
また、第１実施形態によれば、旋回体２に固定されたブームシリンダ５ａが取り付けられるブラケット８ａの近傍位置に存在し、それまでデッドスペースであって活用されていなかった空間部に、ボックス３０の後面３０ｃに形成した別の開口部３３から第１収納領域３６ａに収納した爪７ｂのそれぞれの先端を突出させることができる。すなわち、この第１実施形態によれば、ブームシリンダ５ａが取り付けられるブラケット８ａの近傍位置のデッドスペースを、爪７ｂの収納に活用させることができる。
【００３８】
図１５は第１実施形態に備えられる収納箱にグリスガンを収納した状態を示す図で、（ａ）図は正面側から見た斜視図、（ｂ）図は背面側から見た斜視図である。
【００３９】
この図１５に示す場合は、第１実施形態に備えられる収納箱１０のボックス３０の第１収納領域３６ａに収納される長尺の物品が、上述したバケット７の爪７ｂに代わるグリスガン４１から成っている。グリスガン４１をボックス３０の第１収納領域３６ａに収納する際には、上述の爪７ｂを収納するときと同様に、同図１５の（ｂ）図に示すように、開閉扉３４を開き、グリスガン４１の一部をボックス３０の外部に突出させるようにして収納すればよい。
【００４０】
図１６は本発明の第２実施形態に備えられる収納箱を示す側面図、図１７は図１６のＤ断面図である。
【００４１】
この第２実施形態は、収納箱１０のボックス３０の第１収納領域３６ａを形成する下面５０の部分に、別の開口部５１を形成するとともに、この別の開口部５１を開閉可能な開閉扉５２を下面５０に設けたヒンジ部５３に回動可能に取り付けた構成にしてある。例えば、開閉扉５２にはつまみ５２ａを設けてある。その他の構成は上述した第１実施形態と同等である。
【００４２】
このように構成した第２実施形態も、上述のバケット７の爪７ｂ等の長尺の物品を収納箱１０に収納する際には、つまみ５２ａを把持して開閉扉５２を上方に回動させて開き、長尺の物品の一部を別の開口部５１からボックス３０の下方に突出させ、長尺の物品の残りの部分を第１収納領域３６ａに配置して収納することが行われる。このように構成した第２実施形態は、収納箱１０の配設位置の下方にデッドスペースを有する場合に好適である。このように構成した第２実施形態も、上述した第１実施形態と同等の作用効果が得られる。
【符号の説明】
【００４３】
１    走行体（車体）
２    旋回体（車体）
４    作業装置
５    ブーム
５ａ  ブームシリンダ
７    バケット
７ａ  バケットシリンダ
７ｂ  爪（長尺の物品）
８ａ  ブラケット
１０    収納箱
１１    固定プレート
１２    固定プレート
１３    取り付け部
１４    取り付け部
１５    取り付け部
１６    取り付け部
１７    ボルト
１８    ナット
１９    ボルト
２０    ナット
２１    ボルト
２２    ボルト
３０    ボックス
３０ａ  開口部
３０ｂ  前面
３０ｃ  後面
３０ｄ  側面
３０ｅ  側面
３０ｆ  下面
３１    蓋部
３３    別の開口部
３４    開閉扉
３５    下板
３６    仕切り板
３６ａ  第１収納領域
３６ｂ  第２収納領域
４１    グリスガン（長尺の物品）
５０    下面
５１    別の開口部
５２    開閉扉
【図１】
0005526113.tif 000002
【図２】
0005526113.tif 000003
【図３】
0005526113.tif 000004
【図４】
0005526113.tif 000005
【図５】
0005526113.tif 000006
【図６】
0005526113.tif 000007
【図７】
0005526113.tif 000008
【図８】
0005526113.tif 000009
【図９】
0005526113.tif 000010
【図１０】
0005526113.tif 000011
【図１１】
0005526113.tif 000012
【図１２】
0005526113.tif 000013
【図１３】
0005526113.tif 000014
【図１４】
0005526113.tif 000015
【図１５】
0005526113.tif 000016
【図１６】
0005526113.tif 000017
【図１７】
0005526113.tif 000018